(57)【要約】【課題】  貯湯槽給湯システムにおいて、高温給湯や暖房用熱交換等に安定的に利用でき、蓄熱用熱交換の熱交換効率を向上させる。【解決手段】  貯湯槽１１と、貯湯槽１１の上部から出湯する第１の配管２１と、貯湯槽１１の中程から出湯する第２の配管２２と、第１の配管１１から出湯する第１配管水又は第２の配管２２から出湯する第２配管水と市水とを混合し、予め定めた設定温度の温水を生成する混合弁制御装置３０と、を有する貯湯槽給湯システム１０において、混合弁制御装置３０は、第２配管水の温度を測定するセンサ３２を有し、センサ３２により測定された第２配管水の温度が設定温度より高いときには、第２配管水と市水を混合し、センサにより測定された第２配管水の温度が設定温度以下であるときには、第１配管水と市水を混合する。【選択図】      図１
2005300147.tif 000002
【特許請求の範囲】
【請求項１】
貯湯槽と、この貯湯槽の上部から出湯する第１の配管と、前記貯湯槽の中程から出湯する第２の配管と、前記第１の配管から出湯する第１配管水又は前記第２の配管から出湯する第２配管水と市水とを混合し、予め定めた設定温度の温水を生成する混合弁制御装置と、を有する貯湯槽給湯システムにおいて、
前記混合弁制御装置は、
前記第２配管水の温度を測定するセンサを備え、
このセンサにより測定された第２配管水の温度が前記設定温度より高いときには、前記第２配管水と前記市水を混合し、
前記センサにより測定された第２配管水の温度が前記設定温度以下であるときには、前記第１配管水と前記市水を混合することを特徴とする貯湯槽給湯システム。
【請求項２】
貯湯槽と、この貯湯槽の上部から出湯する第１の配管と、前記貯湯槽の中程から出湯する第２の配管と、前記第１の配管と前記第２の配管を接続する１次制御弁と、この１次制御弁に接続された吐出管と、市水配管と、前記吐出管と前記市水配管を接続する２次制御弁と、前記第２の配管内を流れる第２配管水の温度を測定するセンサと、前記第１の配管から出湯される第１配管水または前記第２の配管から出湯される第２配管水と前記市水配管から出水される市水を混合し、予め定めた設定温度の温水を生成させるコントローラと、を備える貯湯槽給湯システムにおいて、
前記コントローラは、
前記センサで測定される第２の配管水の温度が前記設定温度より高いときには、前記１次制御弁から前記第２配管水を前記吐出管に吐出させ、前記設定温度となるように前記２次制御弁により前記吐出管から出湯される第２配管水と前記市水配管から出水される市水とを混合させ、
前記センサで測定される第２配管水の温度が前記設定温度以下であるときには、前記１次制御弁から前記第１配管水を前記吐出管に吐出させ、前記設定温度となるように前記２次制御弁により前記吐出管から出湯される第１配管水と前記市水配管を出水される市水とを混合させる
ことを特徴とする貯湯槽給湯システム。
【発明の詳細な説明】
【技術分野】
【０００１】
本発明は蓄熱貯湯槽を用いる貯湯槽給湯システムに関する。
【背景技術】
【０００２】
貯湯槽給湯システムでは、貯湯槽の温水に市水（水道水）を混合して求める温度の温水を得るため、２入力１出力の混合弁を用いるのが一般的である。
【０００３】
例えば、特許文献１では、ヒートポンプ給湯機の運転で貯湯した任意の温度の温水に、混合弁で市水を混合し、設定温度の給湯を行なうものを開示している。
【０００４】
例えば、特許文献２では、太陽熱温水器の温水に、混合弁で市水を混合するに際し、混合弁による温水と市水の混合比率を給湯用途、設定温度に応じて変化させるものを開示している。
【特許文献１】特開平９−１２６５４７号公報
【特許文献２】特開２０００−８１２４６号公報
【発明の開示】
【発明が解決しようとする課題】
【０００５】
自然集熱したぬる目のお湯と、深夜電力等により沸き上げた熱いお湯を１つの貯湯槽で蓄熱するとき、貯湯槽の上部には高温水が、下部には中温水が蓄えられる。従来技術では、貯湯槽の温水取出し口が上部に設けられるだけであり、以下の問題点がある。
【０００６】
貯湯槽からの出湯が常にその上部の高温水から先に行なわれ、槽内には中温水が溜まり易くなり、高温給湯が必要になったときに必要量が不足したり、暖房用熱交換器等に利用しようとするときに必要温度がとれない。このため、途中から電気、ガスを用いて沸き上げる必要がある。
【０００７】
また貯湯槽の槽内に前記の如くに、中温水が溜まり易く、槽内下部の温度が下がりにくいため、ヒートポンプ、太陽熱利用の蓄熱交換器を槽内下部に設置したときの熱交換効率が悪い。
【０００８】
本発明の課題は、貯湯槽給湯システムにおいて、高温給湯や暖房用熱交換等に安定的に利用できるし、蓄熱用熱交換の熱交換効率を向上することにある。
【０００９】
また、本発明の課題は、貯湯槽の上部〜中下部の温水を広く利用することにある。
【課題を解決するための手段】
【００１０】
請求項１に係る発明は、貯湯槽と、この貯湯槽の上部から出湯する第１の配管と、前記貯湯槽の中程から出湯する第２の配管と、前記第１の配管から出湯する第１配管水又は前記第２の配管から出湯する第２配管水と市水とを混合し、予め定めた設定温度の温水を生成する混合弁制御装置と、を備える貯湯槽給湯システムにおいて、前記混合弁制御装置は、前記第２配管水の温度を測定するセンサを有し、このセンサにより測定された第２配管水の温度が前記設定温度より高いときには、前記第２配管水と前記市水を混合し、前記センサにより測定された第２配管水の温度が前記設定温度以下であるときには、前記第１配管水と前記市水を混合することを特徴とする。
【００１１】
請求項１に係る発明によれば、混合弁制御装置が、貯湯槽からの出湯を上部（高温水側）の第１の配管だけでなく、中程（中温水側）の第２の配管からも行なうようにした。従って、高温水が減りにくくなり、高温給湯水が必要になったときのために必要量の高温水を確保できるし、暖房用熱交換器等に利用するための必要温度を高温水に確保できる。
【００１２】
混合弁制御装置が、貯湯槽の中程の中温水を第２の配管から出湯できるから、槽内下部の温度を下げることにもなり、ヒートポンプ、太陽熱利用の蓄熱用熱交換器を槽内下部に設置したときの熱交換効率を向上できる。
【００１３】
混合弁制御装置が、貯湯槽の中程の中温水を第２の配管から出湯できるから、自然熱で作った中温水を積極的に使うことができるため、自然熱を有効利用できる。また、中温水の温度が高ければ、電気やガスでつくる高温水は使わないので省エネになる。
【００１４】
混合弁制御装置が、第２配管水の温度を検出するセンサを有するものとしたから、貯湯槽の蓄熱量、利用量により安定しない槽内の中温水の温度を正確に把握しながら、第１配管水と第２配管水と市水の混合比率を制御するものになり、給湯温度を高精度、高効率で制御できる。
【００１５】
請求項２に係る発明は、貯湯槽と、この貯湯槽の上部から出湯する第１の配管と、前記貯湯槽の中程から出湯する第２の配管と、前記第１の配管と前記第２の配管を接続する１次制御弁と、この１次制御弁に接続された吐出管と、市水配管と、前記吐出管と前記市水配管を接続する２次制御弁と、前記第２の配管内を流れる第２配管水の温度を測定するセンサと、前記第１の配管から出湯される第１配管水または前記第２の配管から出湯される第２配管水と前記市水配管から出水される市水とを混合し、予め定めた設定温度の温水を生成させるコントローラと、を備える貯湯槽給湯システムにおいて、前記コントローラは、前記センサで測定される第２の配管水の温度が前記設定温度より高いときには、前記１次制御弁から前記第２配管水を前記吐出管に吐出させ、前記設定温度となるように前記２次制御弁により前記吐出管から出湯される第２配管水と前記市水配管から出水される市水とを混合させ、前記センサで測定される第２配管水の温度が前記設定温度以下であるときには、前記１次制御弁から前記第１配管水を前記吐出管に吐出させ、前記設定温度となるように前記２次制御弁により前記吐出管から出湯される第１配管水と前記市水配管から出水される市水とを混合させることを特徴とする。
【発明の効果】
【００１６】
本発明によれば、貯湯槽給湯システムにおいて、高温給湯や暖房用熱交換等に安定的に利用できるし、蓄熱用熱交換の熱交換効率を向上することができる。
【００１７】
また、本発明によれば、貯湯槽の上部〜中下部の温水を広く利用することができる。
【発明を実施するための最良の形態】
【００１８】
図１は貯湯槽給湯システムの基本構成を示す配管図、図２は第１実施形態の貯湯槽給湯システムを示す配管図、図３は第２実施形態の貯湯槽給湯システムを示す配管図、 図４は第３実施形態の貯湯槽給湯システムを示す配管図、図５は制御弁の一実施形態の縦断面図、図６（ａ）は図５のＡ−Ａ線断面図、図６（ｂ）は図５のＢ−Ｂ線断面図、図６（ｃ）は図５のＣ−Ｃ線断面図、図７は図６の状態から約３０°回動した動作状態を示す断面図、図８は図７の状態から更に約３０°回動した動作状態を示す断面図、図９は図８の状態から更に約３０°回動した動作状態を示す断面図、図１０は図９の状態から更に約３０°回動した動作状態を示す断面図である。
【００１９】
図１の貯湯槽給湯システム１０は、蓄熱貯湯槽１１を有する。貯湯槽１１は、市水配管１２（水道管）を槽内最下部に連通し、電熱ヒータからなる沸き上げ用ヒータ１３により市水を90℃程度に加熱して蓄えるとともに、槽内下部に設けたヒートポンプや太陽熱利用の蓄熱用熱交換器１４により３０℃〜６０℃程度の中温水を蓄熱可能としている。蓄熱用熱交換器１４は、例えば槽内に熱交換パイプを通し、パイプの表面と槽内の水との間での熱交換によって水の加熱を行なう。
【００２０】
貯湯槽１１は、槽内上部の高温水を出湯する第１の配管２１と、中程の中温水を出湯する第２の配管２２を有する。第２の配管２２は、槽内における中温水の上限レベル、例えば沸き上げ用ヒータ１３の位置付近に配置する。また、貯湯槽１１は、槽内上部に暖房用熱交換器１５を設けてある。
【００２１】
貯湯槽給湯システム１０は、混合弁制御装置３０を有する。混合弁制御装置３０は、コントローラ３１と混合弁４０を有し、コントローラ３１に入力することによって予め定めた設定温度の温水を生成して給湯配管２３に給湯するように、コントローラ３１により混合弁４０を制御し、第１の配管２１から出湯する第１配管水と、第２の配管２２から出湯する第２配管水と、市水配管１２から供給される市水の２以上を互いに適宜の混合比率で混合する。混合弁４０としては、３入力１出力の制御弁（混合弁）からなるもの、又は２個の２入力１出力の制御弁（１個の制御弁は選択制御弁又は混合弁、他の１個の制御弁は混合弁）を組合せたものを採用できる。
【００２２】
このとき、混合弁制御装置３０は、第２の配管２２に第２配管水の温度を検出するセンサ３２を有し、その検出温度と前記設定温度との比較結果に基づいて、第１配管水と第２配管水と市水の混合比率を制御する。
【００２３】
以下、混合弁制御装置３０の具体例について説明する。
（第１実施形態）（図２）
第１実施形態の混合弁制御装置３０は、第１の配管２１と第２の配管２２が接続される２入力１出力の１次制御弁４１（選択制御弁）（混合弁でも可）と、１次制御弁４１の吐出配管と市水配管１２が接続される２入力１出力の２次制御弁４２（混合弁）とを有し、２次制御弁４２の吐出配管を給湯配管２３とするものである。
【００２４】
混合弁制御装置３０のコントローラ３１は、センサ３２の検出温度に基づき、１次制御弁４１の電動開弁モータ４１Ａにより第１配管水と第２配管水を選択（又は一定の混合比率で混合）制御し、更に２次制御弁４２の電動開弁モータ４２Ａにより１次制御弁４１の吐出水と市水の混合比率を制御し、結果として、設定温度の温水を生成する。
【００２５】
例えば、センサ３２が検出する第２配管水の温度が設定温度と同じか低いとき、１次制御弁４１により第１配管水を選択して吐出し、この吐出水と市水の混合温度が設定温度になるように２次制御弁４２で混合制御する。他方、センサ３２が検出する第２配管水の温度が設定温度より高いとき、１次制御弁４１により第２配管水を選択して吐出し、この吐出水と市水の混合温度が設定温度となるように２次制御弁４２で混合制御する。
【００２６】
このとき、混合弁制御装置３０のコントローラ３１は、貯湯槽１１からの給湯開始初期に必ず第１配管水を出湯するように、１次制御弁４１の電動開弁モータ４１Ａにより第１配管水を選択（又は第１配管水と第２配管水を混合）制御する。コントローラ３１は、前回の給湯終了時に、１次制御弁４１の電動開弁モータ４１Ａを上述の如くに設定しておけば、次回の給湯開始初期に遅れることなく直ちに第１配管水を出湯できる。
【００２７】
本実施形態によれば、以下の作用がある。
混合弁制御装置３０が、貯湯槽１１からの出湯を上部（高温水側）の第１の配管２１だけでなく、中程（中温水側）の第２の配管２２からも行なうようにした。従って、高温水が減りにくくなり、高温給湯水が必要になったときのために必要量の高温水を確保できるし、暖房用熱交換器１５等に利用するための必要温度を高温に確保できる。
【００２８】
混合弁制御装置３０が、貯湯槽１１の中程の中温水を第２の配管２２から出湯できるから、槽内下部の温度を下げることにもなり、ヒートポンプ、太陽熱利用の蓄熱用熱交換器１４を槽内下部に設置したときの熱交換効率を向上できる。
【００２９】
混合弁制御装置３０が、第２配管水の温度を検出するセンサ３２を有するものとしたから、貯湯槽１１の蓄熱量、利用量により安定しない槽内の中温水の温度を正確に把握しながら、第１配管水と第２配管水と市水の混合比率を制御するものになり、給湯温度を高精度、高効率で制御できる。
【００３０】
給湯の平均使用温度は中温水の程度であることが多い。従って、混合弁制御装置３０が、貯湯槽１１からの給湯開始初期に必ず槽内上部の第１配管水（高温水）を出湯するように制御しておけば、その後、槽内中程の中温水（第２配管水）を出湯するように制御を切換えることになる場合が多く、結果として、貯湯槽１１の上部〜中下部の温水を広く利用し、槽内滞溜水の発生による水質悪化を防止できる。
【００３１】
（第２実施形態）（図３）
第２実施形態の混合弁制御装置３０は、第１の配管２１と市水配管１２が接続される２入力１出力の１次制御弁５１（選択制御弁）（混合弁でも可）と、１次制御弁５１の吐出配管と第２の配管２２が接続される２入力１出力の２次制御弁５２（混合弁）とを有し、２次制御弁５２の吐出配管を給湯配管２３とするものである。
【００３２】
混合弁制御装置３０のコントローラ３１は、センサ３２の検出温度に基づき、１次制御弁５１の電動開弁モータ５１Ａにより第１配管水と市水を選択（又は一定の混合比率で混合）制御し、更に２次制御弁５２の電動開弁モータ５２Ａにより１次制御弁５１の吐出水と第２配管水の混合比率を制御し、結果として、設定温度の温水を生成する。
【００３３】
例えば、センサ３２が検出する第２配管水の温度が設定温度と同じか低いとき、１次制御弁５１により第１配管水を選択して吐出し、この吐出水と第２配管水の混合温度が設定温度となるように２次制御弁５２で混合制御する。他方、センサ３２が検出する第２配管水の温度が設定温度より高いとき、１次制御弁５１により市水を選択して吐出し、この吐出水と第２配管水の混合温度が設定温度となるように２次制御弁５２で混合制御する。
【００３４】
このとき、混合弁制御装置３０のコントローラ３１は、貯湯槽１１からの給湯開始初期に必ず第１配管水を出湯するように、１次制御弁５１の電動開弁モータ５１Ａにより第１配管水を選択（又は第１配管水と市水を混合）制御する。コントローラ３１は、前回の給湯終了時に、１次制御弁５１の電動開弁モータ５１Ａを上述の如くに設定しておけば、次回の給湯開始初期に遅れることなく直ちに第１配管水を出湯できる。
本実施形態によれば、第１実施形態におけると同様の作用を奏する。
【００３５】
（第３実施形態）（図４）
第３実施形態の混合弁制御装置３０は、第２の配管２２と市水配管１２が接続される２入力１出力の１次制御弁６１（選択制御弁）（混合弁でも可）と、１次制御弁６１の吐出配管と第１の配管２１が接続される２入力１出力の２次制御弁６２（混合弁）とを有し、２次制御弁６２の吐出配管を給湯配管２３とするものである。
【００３６】
混合弁制御装置３０のコントローラ３１は、センサ３２の検出温度に基づき、１次制御弁６１の電動開弁モータ６１Ａにより第２配管水と市水を選択（又は一定の混合比率で混合）制御し、更に２次制御弁６２の電動開弁モータ６２Ａにより１次制御弁６１の吐出水と第１配管水の混合比率を制御し、結果として、設定温度の温水を生成する。
【００３７】
例えば、センサ３２が検出する第２配管水の温度が設定温度と同じか低いとき、１次制御弁６１により第２配管水を選択して吐出し、この吐出水と第１配管水の混合比率が設定温度となるように２次制御弁６２で混合制御する。他方、センサ３２が検出する第２配管水の温度が設定温度より高いとき、１次制御弁６１により市水を選択して吐出し、この吐出水と第１配管水の混合温度が設定温度となるように２次制御弁６２で混合制御する。
【００３８】
このとき、混合弁制御装置３０のコントローラ３１は、貯湯槽１１からの給湯開始初期に必ず第１配管水を出湯するように、２次制御弁６２の電動開弁モータ６２Ａにより第１配管水を出湯制御する。
本実施形態によれば、第１実施形態におけると同様の作用を奏する。
【００３９】
（第４実施形態）（図５〜図１０）
第４実施形態に係る混合弁制御装置３０は、図１の混合弁４０として、３入力１出力の混合弁１００を用いたことにある。混合弁１００は第１の配管２１、第２の配管２２、市水配管１２のそれぞれが接続される第１の流入口１１１、第２の流入口１１２、第３の流入口１１３を有し、給湯配管２３が接続される１つの流出口１１４を有している。
【００４０】
即ち、図５、図６において、混合弁１００は、弁本体１１０と、弁本体１１０内に回動可能に配置された弁体１２０とを備え、弁本体１１０は第１の流入口１１１、第２の流入口１１２、第３の流入口１１３と、１つの流出口１１４を有する。弁本体１１０は金属鋳物、プラスチック成型等で下方に開口する円筒状に形成され、下方開口には蓋体１１５がパッキング１１６を挟んで防水状態に螺合されており、蓋体１１５に流出口１１４が形成されている。流出口１１４は、３つの流入口１１１、１１２、１１３から入った流体を混合させて流出させる。
【００４１】
第１の流入口１１１、第２の流入口１１２、第３の流入口１１３、及び流出口１１４の外周には、それぞれ第１の配管２１、第２の配管２２、市水配管１２、給湯配管２３の配管を取付ける取付けねじ部が形成されている。弁本体１１０の内部に嵌合する弁体１２０は、弁体１２０を回動させる軸部１２５が一体的に上方に突出形成されており、軸部１２５の上端は弁本体１１０から外部に突出し、レバー（図示せず）等を取付ける角軸部１２６が形成されている。軸部１２５は弁本体１１０とはパッキング１２７により防水状態が保たれている。このように、弁本体１１０は３つの流入口１１１、１１２、１１３から入った流体が混合されて１つの流出口１１４から出るもので、漏水することがないように構成されている。
【００４２】
第１の流入口１１１、第２の流入口１１２、第３の流入口１１３は、弁本体１１０から 図５において水平方向に、即ち円筒状の軸方向と直交する方向に設けられている。上部の第１の流入口１１１は弁本体１１０の一方側、即ち図５において左方側に形成され、第２の流入口１１２は第１の流入口１１１から間隔を有して下部の左方側に形成されている。第３の流入口１１３は、第１の流入口１１１と第２の流入口１１２との間隔に対応して弁本体１１０の他方側、即ち上下中央部から右方側に形成されている。このように第１の流入口１１１と第２の流入口１１２の間隔に対応して、第３の流入口が１８０度反対側に形成されているため、弁本体１１０は薄型にできると共に、それぞれの流入口１１１、１１２、１１３が接近しないため、第１の配管２１、第２の配管２２、市水配管１２の配管作業が容易に行なえる。
【００４３】
弁体１２０は、弁本体１１０の内面に接する円筒状をしており、金属鋳物、プラスチック成型等で形成され、弁本体１１０の第１の流入口１１１と対向して連通可能な第１開口１２１と、第２の流入口１１２と対向して連通可能な第２開口１２２と、第３の流入口１１３と対向して連通可能な第３開口１２３とが、同等の位相でずれて形成されている。即ち、本例では第１開口１２１に対して第２開口１２２は図６（ｃ）に示すように時計方向に約６０度ずれており、第１開口１２１に対して第３開口１２３は図６（ｂ）に示すように反時計方向に約６０度ずれて形成されている。そして、弁体１２０を回動させることにより、第１開口１２１、第２開口１２２、第３開口１２３は、第１の流入口１１１、第２の流入口１１２、第３の流入口１１３と順次、連通するように配置されている。弁体１２０の下方は開口しており、流出口１１４と対向する流出開口１２４となっている。 図５、図６は第１の流入口１１１と第１開口１２１とが一致して対向している状態を示している。
【００４４】
尚、本例では、図６（ａ）に示すように、第１の流入口１１１と第１開口１２１とが１００％対向して連通しているときに、図６（ｃ）に示すように、第２の流入口１１２と第２開口１２２とは連通しないように設定されているが、第２の流入口１１２と第２開口１２２とが僅かに連通して、オーバーラップするように設定して切換えることができるようにしても良い。また、後述するが、第３の流入口１１３についても同様に設定されているが、オーバーラップするように設定しても良い。
【００４５】
前記の如く構成された本実施形態の混合弁１００の混合動作について、図５〜図１０を参照して説明する。混合弁１００は、第１の流入口１１１に、高温水（第１配管水）が供給され、第２の流入口１１２に中温水（第２配管水）が供給され、第３の流入口１１３に低温水（市水）が供給され、流出口１１４から給湯用や床暖房用の温水を供給するように配管されており、軸部１２５を回動させることにより、高温水、中温水及び低温水を混合して流出できる。
【００４６】
図６の状態は、上方の第１の流入口１１１と第１開口１２１とが連通し、第２の流入口１１２と第３の流入口１１３は第２開口１２２と第３開口１２３に連通せず、第１の流入口１１１から高温水が流入して流出口１１４から流出する。図６の状態から、弁体１２０を反時計方向に約３０°回動させると図７の状態となり、第１の流入口１１１と第１開口１２１とが半分程度連通し、第２の流入口１１２と第２開口１２２とが半分程度連通し、第３の流入口１１３は第３開口１２３と連通しない状態となる。図７の状態は、第１の流入口１１１から流入される高温水と、第２の流入口１１２から流入される中温水とが混合されて流出口１１４から流れ出る状態である。
【００４７】
図６の状態から図７の状態に弁体１２０を回動させる間は、弁体１２０の回動角度に対応して、第１の流入口１１１から流入する高温水の量が徐々に減少し、第２の流入口１１２から流入する中温水の量が徐々に増加するため、混合比を徐々に連続的に変更することができる。図７の状態では、第１の流入口１１１、及び第２の流入口１１２から略同量の流体が弁体１２０内に流入し、流出開口１２４を通して流出口１１４から流出する。尚、第１の流入口１１１と第１開口１２１とを四角形孔に形成し、弁体１２０の回動角度に比例して混合比が変化するようにしても良い。
【００４８】
図７の状態から、弁体１２０を反時計方向に更に約３０°回動させると図８の状態となり、第１の流入口１１１は第１開口１２１と連通せず、第２の流入口１１２が第２開口１２２と連通し、第３の流入口１１３は第３開口１２３と連通しない状態となる。図８の状態は、第２の流入口１１２からのみ中温水が流入し、流出口１１４からは中温水のみが流出する。尚、図８の状態で、第２の流入口１１２と第２開口１２２とが１００％対向して一致するとき、第１の流入口１１１と第１開口１２１とは連通しないように設定されているが、僅かに連通するようにしても良い。
【００４９】
図７の状態から図８の状態に弁体１２０を回動させる間は、弁体１２０の回動角度に対応して、第１の流入口１１１から流入する高温水の量が更に徐々に減少し、第２の流入口１１２から流入する中温水の量が更に徐々に増加するため、中温水の混合比を徐々に連続的に上昇させることができ、図８の状態では中温水のみが第２の流入口１１２から流入し、流出開口１２４を通して流出口１１４から流出する。尚、前記したように回動角度と混合比が比例するようにしても良い。
【００５０】
図８の状態から、弁体１２０を更に約３０°回動させると図９の状態となり、第１の流入口１１１は第１開口１２１とが連通せず、第２の流入口１１２は第２開口１２２と連通し、第３の流入口１１３は第３開口１２３と連通する状態となる。図９の状態は、第２の流入口１１２から流入される中温水と、第３の流入口１１３から流入される低温水とが混合されて流出口１１４（図５参照）から流れ出る状態である。
【００５１】
図８の状態から図９の状態に弁体１２０を回動させる間は、弁体１２０の回動角度に対応して、第２の流入口１１２から流入する中温水の量が徐々に減少し、第３の流入口１１３から流入する低温水の量が徐々に増加するため、混合比を徐々に連続的に変更することができる。図９の状態では第２の流入口１１２、及び第３の流入口１１３から略同量の流体が弁体１２０内に流入し、流出開口１２４を通して流出口１１４から流出する。
【００５２】
図９の状態から、弁体１２０を反時計方向に更に約３０°回動させると図１０の状態となり、第１の流入口１１１は第１開口１２１と連通せず、第２の流入口１１２も第２開口１２２と連通せず、第３の流入口１１３のみが第３開口１２３と連通する状態となる。図１０の状態は、第３の流入口１１３からのみ低温水が流入し、流出口１１４からは低温水のみが流出する。尚、図１０の状態で、第３の流入口１１３と第３開口１２３とが１００％対向しているとき、第２の流入口１１２と第２開口１２２とは連通しないように設定されているが、僅かに連通するようにしても良い。
【００５３】
図９の状態から図１０の状態に弁体１２０を回動させる間は、弁体１２０の回動角度に対応して、第２の流入口１１２から流入する中温水の量が更に徐々に減少し、第３の流入口１１３から流入する低温水の量が更に徐々に増加するため、中温水を減らしながら低温水の混合比を徐々に連続的に上昇させることができ、図１０の状態では低温水のみが第３の流入口１１３から弁体１２０に流入し、流出開口１２４を通して流出口１１４から流出する。
【００５４】
流出口１１４から出る温水の所望の設定温度が、第２の流入口１１２の中温水より高い場合は、高温水と中温水とを混合するように弁体１２０の位置を図６〜図８の任意の位置に設定して、混合比を設定する。また、流出口１１４から出る温水の所望の設定温度が中温水より低い場合は、中温水と低温水とを混合するように弁体１２０の位置を図８〜図１０の任意の位置に設定して、混合比を設定する。このように、太陽熱利用の蓄熱用熱交換器１４等より第２の流入口１１２に供給される中温水を積極的に使用することができるため、太陽エネルギーを有効利用できる。また、晴天時等、中温水の温度が高い場合は、電気やガスを用いる高温水は使用しないので、エネルギーを大幅に削減できる。
【００５５】
尚、前記した実施の形態では、弁体は円筒形の例を示したが、球形等の弁体としても良いのは勿論である。弁体を回動させる軸部は、例えばモータやギアを組み合わせた電動機構により回動させるように構成しても良い。そして、混合された流体の温度や濃度を検出して、所望の設定温度や濃度に混合できるように電動機構を介して弁体の回動角度を制御しても良い。このように自動的に制御する場合も、１つの軸部を回動するだけなので、制御が容易に行なえる。
【００５６】
以上、本発明の実施の形態を図面により詳述したが、本発明の具体的な構成はこの実施の形態に限られるものではなく、本発明の要旨を逸脱しない範囲の設計の変更等があっても本発明に含まれる。
【図面の簡単な説明】
【００５７】
【図１】貯湯槽給湯システムの基本構成を示す配管図である。
【図２】第１実施形態の貯湯槽給湯システムを示す配管図である。
【図３】第２実施形態の貯湯槽給湯システムを示す配管図である。
【図４】第３実施形態の貯湯槽給湯システムを示す配管図である。
【図５】制御弁の一実施形態の縦断面図である。
【図６】（ａ）は図５のＡ−Ａ線断面図、（ｂ）は図５のＢ−Ｂ線断面図、（ｃ）は図５のＣ−Ｃ線断面図である。
【図７】図６の状態から約３０°回動した動作状態を示す断面図である。
【図８】図７の状態から更に約３０°回動した動作状態を示す断面図である。
【図９】図８の状態から更に約３０°回動した動作状態を示す断面図である。
【図１０】図９の状態から更に約３０°回動した動作状態を示す断面図である。
【符号の説明】
【００５８】
１０    貯湯槽給湯システム
１１    貯湯槽
１２    市水配管
２１    第１の配管
２２    第２の配管
３０    混合弁制御装置
３２    センサ
４１，５１，６１  １次制御弁
４２，５２，６２  ２次制御弁
１００  混合弁
１１０  弁本体
１１１  第１の流入口
１１２  第２の流入口
１１３  第３の流入口
１１４  流出口
１１５  蓋体
１２０  弁体
１２１  第１開口
１２２  第２開口
１２３  第３開口
１２４  流出開口
１２５  軸部
【図１】
2005300147.tif 000003
【図２】
2005300147.tif 000004
【図３】
2005300147.tif 000005
【図４】
2005300147.tif 000006
【図５】
2005300147.tif 000007
【図６】
2005300147.tif 000008
【図７】
2005300147.tif 000009
【図８】
2005300147.tif 000010
【図９】
2005300147.tif 000011
【図１０】
2005300147.tif 000012